(57)【要約】【課題】本発明はデジタルビデオカメラ、デジタルカメラやデジタルカメラ等が搭載されているＰＤＡ等の画像処理端末をどのような角度で構えて撮影しても正位置で撮影したときと同様の傾きの画像データを得ることができる画像処理端末および画像処理方法を得るにある。【解決手段】デジタル画像や映像を撮影する、デジタルビデオカメラ、デジタルカメラやデジタルカメラ等が搭載されているＰＤＡ等の画像処理端末において、画像データの傾き等の情報を識別する識別手段と、この識別手段で識別された傾き等の情報に基づき、画像データを補正する補正手段とで画像処理端末を構成している。【選択図】　図３
2004056729.tif 000002
【特許請求の範囲】
【請求項１】
デジタル画像や映像を撮影する、デジタルビデオカメラ、デジタルカメラやデジタルカメラ等が搭載されているＰＤＡ等の画像処理端末において、画像データの傾き等の情報を識別する識別手段と、この識別手段で識別された傾き等の情報に基づき、画像データを補正する補正手段とを備えることを特徴とする画像処理端末。
【請求項２】
デジタル画像や映像を撮影する、デジタルビデオカメラ、デジタルカメラやデジタルカメラ等が搭載されているＰＤＡ等の画像処理端末において、画像データの傾き等の情報を識別する識別手段と、この識別手段で識別された傾き等の情報を前記画像データに添付する添付手段とを備えることを特徴とする画像処理端末。
【請求項３】
デジタルビデオカメラ、デジタルカメラやデジタルカメラ等が搭載されているＰＤＡ等の画像処理端末で撮影されたデジタル画像や映像等の画像データの傾き等の情報を識別する識別工程と、この識別工程で識別された傾き等の情報に基づき、画像データを補正する補正工程とを備えることを特徴とする画像処理方法。
【請求項４】
デジタルビデオカメラ、デジタルカメラやデジタルカメラ等が搭載されているＰＤＡ等の画像処理端末で撮影されたデジタル画像や映像等の画像データの傾き等の情報を識別する識別工程と、この識別工程で識別された傾き等の情報を前記画像データに添付する添付工程とを備えることを特徴とする画像処理方法。
【請求項５】
デジタルビデオカメラ、デジタルカメラやデジタルカメラ等が搭載されているＰＤＡ等の画像処理端末で撮影されたデジタル画像や映像等の画像データの傾き等の情報を識別する識別工程と、この識別工程で識別された傾き等のデータを前記画像データに添付する添付工程と、この添付工程で位置情報が添付された画像データを解析して、傾き等の情報に基づき、画像データを補正する補正工程とを備えることを特徴とする画像処理方法。
【請求項６】
前記識別工程で識別される画像データの傾き等の情報は２次元方向である特許請求の範囲第３ないし５項記載の画像処理方法。
【請求項７】
前記識別工程で識別される画像データの傾き等の情報は３次元方向である特許請求の範囲第３ないし５項記載の画像処理方法。
【発明の詳細な説明】
【０００１】
【発明の属する技術分野】
本発明は、デジタル画像や映像を撮影する、デジタルビデオカメラ、デジタルカメラやデジタルカメラ等が搭載されているＰＤＡ等の画像処理端末および画像処理方法に関する。
【０００２】
【従来の技術】
従来、デジタルカメラで撮影する場合には、該カメラを通常の撮影位置に構えて撮影する。
【０００３】
【発明が解決しようとする課題】
従来のデジタルカメラ等での撮影では、カメラ本体を逆さ位置にして撮影した場合には、撮影時の画像はカメラ本体の傾きに関係なく、被写体を見たままの位置で撮影されるが、記録された画像データはカメラ本体の傾き位置と同様の画像、すなわち、カメラ本体が９０度や１８０度逆さの状態で撮影すると逆さの画像データになっていて、編集時にも画像処理に手間がかかるという欠点があった。
【０００４】
本発明は以上のような従来の欠点に鑑み、デジタルビデオカメラ、デジタルカメラやデジタルカメラ等が搭載されているＰＤＡ等の画像処理端末をどのような傾きで構えて撮影しても通常の撮影位置で撮影したときと同様の傾きの画像データに処理することができる画像処理端末および画像処理方法を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明はデジタル画像や映像を撮影する、デジタルビデオカメラ、デジタルカメラやデジタルカメラ等が搭載されているＰＤＡ等の画像処理端末において、画像データの傾き等の情報を識別する識別手段と、この識別手段で識別された傾き等の情報に基づき、画像データを補正する補正手段とで画像処理端末を構成している。
【０００７】
また、本発明はデジタル画像や映像を撮影する、デジタルビデオカメラ、デジタルカメラやデジタルカメラ等が搭載されているＰＤＡ等の画像処理端末において、画像データの傾き等の情報を識別する識別工程と、この識別工程で識別された傾き等の情報に基づき、該画像データを補正する補正工程とで画像処理方法を構成している。
【０００８】
【発明の実施の形態】
以下、図面に示す実施の形態により、本発明を詳細に説明する。
【０００９】
図１ないし図５に示す本発明の第１の実施の形態において、１はデジタル画像や映像を撮影する、従来と同様の、あるいは同様の撮影機能を持ったデジタルビデオカメラ、デジタルカメラやデジタルカメラ等が搭載されているＰＤＡ等の画像処理端末、本実施の形態においては、従来と同様の撮影手段Ｐや撮影したデータを記録する記録手段Ｒ、パーソナルコンピュータやテレビジョン、プリンター等の各種端末に接続可能な接続端子Ｔ等を備えているデジタルカメラ１で、このデジタルカメラ１における画像処理方法において、撮影された画像データの傾き等の情報を識別する識別工程２と、この識別工程２で識別された画像データの傾き情報に基づき、該画像データを補正する補正工程３とを備えている。
【００１０】
前記識別工程２は、本実施の形態では、識別手段としてのチップ状の傾きセンサー４を備え、前記デジタルカメラ１の制御部Ｖの制御により、撮影された時の該デジタルカメラ１で撮影された画像データの傾き、画像の撮影角度を識別する。
【００１１】
前記補正工程３では、前記識別工程２による画像データの傾き情報に基づき、自動的に画像データの傾き角度を補正処理することができ、その後、補正処理された画像データを、所定の操作によりあるいは自動的に、補正された状態で携帯情報端末等で利用する記録媒体、例えば、内蔵メモリーや、カード形状、スティック形状、キーホルダー形状等の記録手段Ｒに記録する。
【００１２】
上記のような画像処理方法を備えた前記デジタルカメラ１を用いて撮影された画像データは、図５に示すように、どのような傾きで該デジタルカメラ１を構えて撮影しても、通常の撮影位置で撮影されたときと同様の傾きで画像データを得ることができる。
【００１３】
なお、デジタルビデオカメラやデジタルカメラ、デジタルカメラ等が搭載されているＰＤＡ等が有するメール機能やブラウザ機能を介して、図４に示すように、ノート型パーソナルコンピュータやテレビジョン等の情報端末機に対して、Ｅメールに添付して送信したり、ＵＳＢコード等を介して接続して、該情報端末機に取り込むように操作することもできる。
また、本実施の形態の画像処理方法を介さずに通常の処理モードを実行したい場合には、所定の操作により実行できるようにしてもよい。
【００１４】
【発明の異なる実施の形態】
次に、図６ないし図１５に示す本発明の異なる実施の形態につき説明する。なお、これらの本発明の異なる実施の形態の説明に当って、前記本発明の第１の実施の形態と同一構成部分には同一符号を付して重複する説明を省略する。
【００１５】
図６および図７に示す本発明の第２の実施の形態において、前記本発明の第１の実施の形態と主に異なる点は、識別工程としての傾きセンサー４で画像データの傾きを識別した後、傾き情報を画像データに添付、例えば画像データに埋め込んだり、画像データ上にマーキング処理する添付手段５を備える点で、このように構成した画像処理方法を用いたデジタルカメラ１Ａにしても本発明の第１の実施の形態と同様の作用効果を得ることができる。
【００１６】
図８および図９に示す本発明の第３の実施の形態において、前記本発明の第２の実施の形態と主に異なる点は、添付手段５を介して傾き情報が添付された画像データを、添付された傾き情報に基づき、自動的に画像データの傾きを補正処理する補正工程３Ａを備えた点で、このように構成した画像処理方法を用いたデジタルカメラ１Ｂにしても本発明の第２の実施の形態と同様の作用効果を得ることができる。
【００１７】
図１０ないし図１２に示す本発明の第４の実施の形態において、前記本発明の第３の実施の形態と主に異なる点は、添付手段後、所定の操作によりコンピュータ等に取り込み、取り込まれた画像データに添付された傾き情報を解析して、画像データの上下位置を所定位置で表示するように補正する補正工程３Ｂを、コンピュータ上で作動する画像処理ソフトウェアあるいは該画像処理ソフトウェアを記録した記憶媒体に備えた点で、このように構成しても本発明の第３の実施の形態と同様の作用効果を得ることができる。
【００１８】
図１３ないし図１５に示す本発明の第５の実施の形態において、前記本発明の第１の実施の形態と主に異なる点は、識別工程としての傾きセンサー４および加速度センサー６で画像データの傾きおよび空間情報を識別した後、識別された傾きデータおよび空間情報データを補正する補正工程３Ｃを備える点で、このように構成された補正工程を用いたを用いたデジタルカメラ１Ｄの画像処理方法では、図１５に示すように、補正された画像データの傾きが適切に補正されるとともに、撮影時間や位置情報を計算し、第１の撮影情報と第２の撮影情報を補正して重ね合わせるように処理した後、処理された画像データを１つの画像データとして表示すると、立体的画像データに処理することができる。
この場合、傾きの補正と空間情報の補正処理はどちらが先でもかまわず、同時に処理されてもよい。
【００１９】
なお、前記本発明の異なる実施の形態では主に第１の実施の形態を基にして説明したが、本発明はこれに限らず、各実施の形態に使用された構成を組み合わせて使用しても同様な作用効果が得られる。
また、各実施の形態において、デジタルカメラを用いたものについて説明したが、本発明ではこれに限らず、デジタル画像や映像を撮影する、デジタルビデオカメラやデジタルカメラ等が搭載されているＰＤＡ、ノート型パーソナルコンピュータ等の情報端未機に備えられたものでもよい。
【００２０】
【発明の効果】
以上の説明から明らかなように、本発明にあっては次に列挙する効果が得られる。
【００２１】
（１）デジタル画像や映像を撮影する、デジタルビデオカメラ、デジタルカメラやデジタルカメラ等が搭載されているＰＤＡ等の画像処理端末において、画像データの傾き等の情報を識別する識別工程と、この識別手段で識別された傾き等の情報に基づき、画像データを補正する補正手段とからなるので、撮影時のデジタルカメラの向きが９０度や、１８０度回転状態でも、撮影後の画像データの傾きを容易に補正処理することができる。
したがって、初心者でも間違いなく撮影することができる。
【００２２】
（２）前記（１）によって、画像処理も効率よく短時間に処理することができる。
したがって、利用価値の高い状態で画像データを得ることができる。
【００２３】
（３）前記（１）によって、デザインを損なうことなく組み込むことができるので、コストの低減を図ることができる。
【００２４】
（４）請求項２〜７も前記（１）〜（３）と同様な作用効果が得られる。
【図面の簡単な説明】
【図１】本発明の第１の実施の形態の正面図。
【図２】本発明の第１の実施の形態の側面図。
【図３】本発明の第１の実施の形態の概略説明図。
【図４】本発明の第１の実施の形態の各種端末への接続参考図。
【図５】本発明の第１の実施の形態の画像データの処理フロー図。
【図６】本発明の第２の実施の形態の正面図。
【図７】本発明の第２の実施の形態の概略説明図。
【図８】本発明の第３の実施の形態の正面図。
【図９】本発明の第３の実施の形態の概略説明図。
【図１０】本発明の第４の実施の形態の正面図。
【図１１】本発明の第４の実施の形態の概略説明図。
【図１２】本発明の第４の実施の形態の画像データの処理フロー図。
【図１３】本発明の第５の実施の形態の正面図。
【図１４】本発明の第５の実施の形態の概略説明図。
【図１５】本発明の第５の実施の形態の補正工程の概略説明図。
【符号の説明】
１、１Ａ〜１Ｄ：デジタルカメラ、　　２：識別工程、
３、３Ａ〜３Ｃ：補正工程、　　　　　４：傾きセンサー、
５：添付手段、　　　　　　　　　　　６：加速度センサー。
【図１】
2004056729.tif 000003
【図２】
2004056729.tif 000004
【図３】
2004056729.tif 000005
【図４】
2004056729.tif 000006
【図５】
2004056729.tif 000007
【図６】
2004056729.tif 000008
【図７】
2004056729.tif 000009
【図８】
2004056729.tif 000010
【図９】
2004056729.tif 000011
【図１０】
2004056729.tif 000012
【図１１】
2004056729.tif 000013
【図１２】
2004056729.tif 000014
【図１３】
2004056729.tif 000015
【図１４】
2004056729.tif 000016
【図１５】
2004056729.tif 000017